(57)【要約】【課題】開封を簡単かつ綺麗に行うことができる封緘シールを提供する。【解決手段】長尺のシート基材３の幅方向中間部位に、長手方向に沿う２本のミシン目４を形成し、これらミシン目４の両外側における貼付け用シート部３ａの裏面に粘着面５を備え、両ミシン目４の間を、裏面が非粘着面の開封用帯状部３ｂとし、この開封用帯状部３ｂを、ミシン目４を介して引き裂き除去することで、シート基材３を幅方向の中間で分断可能に構成してある。【選択図】図１
2014006373.tif 000002
【特許請求の範囲】
【請求項１】
シール基材の幅方向中間部とその両側の幅方向両側部との境界に、前記シール基材の長手方向に沿って２本の分断線が形成され、前記幅方向中間部は、裏面が非粘着面の開封用帯状部とされ、前記幅方向両側部は、裏面が粘着面の貼付け部とされ、
前記幅方向中間部を、前記両分断線を介して前記幅方向両側部から分断可能とした、
ことを特徴とする封緘シール。
【請求項２】
前記分断線が、ミシン目及び切込みの少なくともいずれかである、
請求項１に記載の封緘シール。
【請求項３】
前記シール基材が、テープ状に巻回されている、
請求項１または２に記載の封緘シール。
【請求項４】
前記開封用帯状部の表面にジッパー模様が形成されている、
請求項１ないし３のいずれかに記載の封緘シール。
【請求項５】
請求項１ないし４のいずれかに記載の封緘シールと、前記開封用帯状部の一端部に結合可能な持ち手片とを備える、
封緘セット。
【請求項６】
前記持ち手片は、その裏面に粘着面を備えたシート片からなり、その粘着面を介して前記開封用帯状部の一端部に貼付け結合される、
請求項５に記載の封緘セット。
【発明の詳細な説明】
【技術分野】
【０００１】
本発明は、封筒、包装袋、包装箱などの封緘に用いる封緘シールと、これを含む封緘セットに関する。
【背景技術】
【０００２】
封筒などの封緘には封緘シールが用いられるが（例えば、特許文献１参照）、開封する際には、封緘シールを簡単に剥がすことができず、手で無理に剥がすと往々にして貼り付けた封筒までも破いてしまいやすいものであった。また、綺麗に開封するには、カッタやハサミなどの器具を用いればよいが、これら器具を準備する必要があると共に、開封に手間がかかるものとなっていた。
【先行技術文献】
【特許文献】
【０００３】
【特許文献１】実開平４−２２７７５号公報
【発明の概要】
【発明が解決しようとする課題】
【０００４】
本発明は、このような実情に着目してなされたものであって、開封を簡単かつ綺麗に行うことができるようにすることを目的とする。
【課題を解決するための手段】
【０００５】
上記目的を達成するために、本発明では、次のように構成している。
【０００６】
（１）本発明の封緘シールは、シール基材の幅方向中間部とその両側の幅方向両側部との境界に、前記シール基材の長手方向に沿って２本の分断線が形成され、前記幅方向中間部は、裏面が非粘着面の開封用帯状部とされ、前記幅方向両側部は、裏面が粘着面の貼付け部とされ、前記幅方向中間部を、前記両分断線を介して前記幅方向両側部から分断可能としている。
【０００７】
本発明によると、対象物に貼り付けられた封緘シールにおける開封用帯状部を、その端部から分断線に沿って引き裂き除去することで、封緘シールを幅方向中間部で分断して簡単かつ綺麗に開封することができる。
【０００８】
（２）本発明の好ましい実施態様では、前記分断線が、ミシン目及び切込みの少なくともいずれかである。
【０００９】
この実施態様によると、対象物に貼り付けられた封緘シールにおける開封用帯状部を、その端部からミシン目および切込みのいずれか一方に沿って引き裂き除去することで、封緘シールを幅方向中間部で簡単かつ綺麗に分断することができる。
【００１０】
（３）本発明の他の実施態様では、前記シール基材が、テープ状に巻回されている。
【００１１】
この実施態様によると、長尺のシール基材をコンパクトに巻回収納しておき、必要な長さだけシール基材を引き出して切断し、対象物の封止箇所に過不足なく貼り付けることができる。
【００１２】
（４）本発明の他の実施態様では、前記開封用帯状部の表面にジッパー模様が形成されている。
【００１３】
この実施態様によると、対象物の封緘箇所を見ると、ジッパー文様の開封用帯状部が目につき、興味深く開封操作を行うことになる。
【００１４】
（５）本発明の封緘セットは、本発明の封緘シールと、前記開封用帯状部の一端部に結合可能な持ち手片とを備えている。
【００１５】
本発明の封緘セットによると、封緘シールにおける開封用帯状部の一端部に持ち手片を予め結合して、対象物に封緘シールを貼り付けることで、開封用帯状部の引き裂き始め、および、その後の分断線に沿った引き裂きを、持ち手片を摘んで容易に行うことができる。
【００１６】
特に、開封用帯状部にジッパー模様が付されている場合には、あたかもジッパーを開くような感覚で面白く開封することができる。
【００１７】
（６）本発明の好ましい実施態様では、前記持ち手片は、その裏面に粘着面を備えたシート片からなり、その粘着面を介して前記開封用帯状部の一端部に貼付け結合される。
【００１８】
この実施態様によると、持ち手片を開封用帯状部の一端部に簡単な操作で結合することができる。
【発明の効果】
【００１９】
このように、本発明によれば、貼り付けられた封緘シールにおける開封用帯状部を、その端部から分断線に沿って引き裂き除去することで、封緘シールを幅方向中間部で分断して簡単かつ綺麗に開封することができる。
【図面の簡単な説明】
【００２０】
【図１】図１は本発明に係る封緘シールの外観斜視図である。
【図２】図２は封緘シールの一部と持ち手片を示す平面図である。
【図３】図３は封緘シールの縦断正面図である。
【図４】図４は持ち手片の保持状態を示す斜視図である。
【図５】図５は持ち手片の結合操作を示す斜視図である。
【図６】図６は封緘例を示す斜視図である。
【図７】図７は別の封緘例を示す斜視図である。
【図８】図８は更に別の封緘例を示す斜視図である。
【発明を実施するための形態】
【００２１】
以下、本発明の実施形態を図面に基づいて説明する。
【００２２】
図１に、本発明の一実施形態に係る封緘シールの外観が、また、図２に、封緘シールの一部がそれぞれ示されており、図３に、縦断正面図が示されている。
【００２３】
この実施形態の封緘シール１は、ロール状に巻回されており、この巻回された封緘シールと複数の持ち手片２とが封緘セットとして、包装箱や包装袋に入れてユーザーに販売提供される。
【００２４】
封緘シール１は、紙製あるいは樹脂フィルムからなるテープ状のシール基材３の幅方向中間部の両側に、長手方向に沿う２本の分断線としてのミシン目４を形成し、これらミシン目４の両側における貼付けシート部３ａの裏面に粘着面５を備え、裏面全体を剥離紙６で被覆したものである。両ミシン目４の間に形成される開封用帯状部３ｂをミシン目４に沿って引き裂き除去することで、シート基材３を幅方向の中間部で分断することができるようになっている。
【００２５】
なお、ミシン目４は、周知の仕様のものを適宜選択することができるが、引き裂きミスの発生が無く、確実に連続して引き裂くことができると共に、開封の感触を得られるものとして、例えば、図２中に示すように、Ｙ形の切込みを縦列形成したものが好適である。分断線は、ミシン目に限らず、切込みやスリットなどであってもよい。
【００２６】
シート基材３における貼付けシート部３ａの表面には、デニム地などの布地を想起させる色合い、あるいは、織り目模様に印刷されると共に、両貼付けシート部３ａの間に位置する開封用帯状部３ｂの表面には、その長手方向に沿ってジッパー模様Ｚが印刷されている。
【００２７】
持ち手片２は、図４に示すように、表面が剥離面に形成された台紙７に貼付け保持されたシート片として構成されており、その表面には、ジッパーに付けられる持ち手が、その表裏を展開した状態で印刷されていると共に、裏面には粘着面８が備えられている。
【００２８】
この持ち手片２の製作においては、図４に示すように、表面に持ち手が印刷されると共に、裏面全体が粘着面８に構成された素材用シート９を台紙７に貼り合せた上で、素材シート９上から持ち手片２ｂの外形に沿ったハーフカット加工が施される。なお、図４は、１０枚の持ち手片２を貼付け保持した台紙７を二つ折りした状態が示されている。
【００２９】
この実施形態の封緘シールおよび封緘セットは以上のように構成されており、ロール巻きされた封緘シール１を必要長さだけ繰り出して切断する。切断した封緘シール１の剥離紙６をめくり取って、貼付けシート部３ａの粘着面５を露出させると共に、切断した封緘シール１における開封用帯状部３ｂの一端に、台紙７からめくり取った持ち手片２を貼付け結合する。
【００３０】
この場合、図５に示すように、表裏展開状態の持ち手片２をその中間部で裏面側に二つ折りし、開封用帯状部３ｂの端部を挟み込んで貼合せ結合する。この場合、二つ折りにする中間部にミシン目を形成して折り易くするのが好ましい。
【００３１】
このように所望の長さに切断して持ち手片２を取り付けた封緘シール１を、封緘箇所に貼付ける。例えば、封筒の封緘においては、図６（ａ）に示すように、封筒本体１０の裏面と折り重ね片１０ａに亘って封緘シール１を貼付ける。このように貼り付けた封緘シール１は、持ち手片２をつまんでシール長手方向に引くことで、開封用帯状部３ｂがミシン目４に沿って引き裂かれながら取り除かれ、図６（ｂ）に示すように、封緘シール１はその幅方向中間において貼付けシート部分３ａを貼付け対象箇所に残したまま分断される。これによってカッターやハサミなどの器具を要することなく簡単かつ綺麗に開封することができる。
【００３２】
また、包装箱の封緘においては、図７に示すように、包装箱１１のフラップ１１ａの突き合わせ辺に沿って封緘シール１を貼り付ける。
【００３３】
この場合、開封用帯状部３ｂにはジッパー模様Ｚが付されていると共に、その端部に持ち手片２が備えられているので、あたかもジッパーを引き開くような感覚で開封することができる。また、ミシン目４の切り裂きの感触や音が心地よく響き、心楽しく開封操作を行うことができる。
【００３４】
なお、添付された持ち手片２を使い切っても、封緘シール１だけを貼付け使用することはできる。この場合、開封に際しては、最初に開封用帯状部３ｂの一端を手指で引き裂いてめくり上げる手間は必要となるが、以降の開封操作は上記と同様に簡単かつ軽快に行うことができる。
【００３５】
また、開封した後には、開封用帯状部３ｂがミシン目４で分断されるので、再び、封緘することは困難であり、不正な開封を防止することもできる。
【００３６】
〔他の実施形態〕
本発明は、以下のような形態で実施することもできる。
【００３７】
（１）封緘シール１を、裏面に剥離紙６を備えないものに製作し、芯材に封緘シール１を巻回して、貼付けシート部分３ａの粘着面５を介してロール状に貼り合せ積層することもできる。
【００３８】
（２）封緘シール１の製造では、裏面全体に粘着剤を塗布した後に、開封用帯状部３ｂに対応する幅方向中間部に対応するように、非粘着剤を塗布してもよいし、あるいは、裏面の幅方向の両側部のみに粘着剤を塗布して粘着面としてもよい。
【００３９】
（３）本発明に係る封緘シールはその長さに制約はないが、その横幅は、例えば、１０〜数十ｍｍ程度のものを複数種用意して、広汎な封緘対象に対応できるようにするとよい。
【００４０】
（４）本発明の封緘シールは主として封筒、包装袋、包装箱、などの封緘に利用されるものであるが、図８に示すように、左右から折り込んだ広告やダイレクトメールにおける綴じ込みに利用することもできる。
【符号の説明】
【００４１】
１              封緘シール
２              持ち手片
３              シート基材
３ａ            貼付けシート部
３ｂ            開封用帯状部
４              ミシン目
５              粘着面
７              台紙
８              粘着面
Ｚ              ジッパー模様
【図１】
2014006373.tif 000003
【図２】
2014006373.tif 000004
【図３】
2014006373.tif 000005
【図４】
2014006373.tif 000006
【図５】
2014006373.tif 000007
【図６】
2014006373.tif 000008
【図７】
2014006373.tif 000009
【図８】
2014006373.tif 000010